(57)【要約】【課題】コンテナの内部に偏りなく廃棄物を投入する作業を安全にでき、しかも、作業場に対してコンテナを搬入・搬出するのに邪魔にならない脱着式コンテナ用足場台を提供する。【解決手段】上端に開口する直方体形状の脱着式コンテナ１０の長辺側に第１足場台２が、コンテナ１０の短辺側に第２足場台３がそれぞれ対応して配置される。第１足場台２上端のコンテナ１０側を除く辺には、第１安全柵２５が固定される。第２足場台３には、階段６が設けられる。第２足場台３上端のコンテナ１０側及び反コンテナ１０側の辺には、第２安全柵９が取り付け・取り外し可能に設けられる。第１足場台２の長手方向一端側又は他端側と、第２足場台３の反階段６側とは、第１足場板４と第２足場板５とを連続させる連結具１１により連結される。【選択図】図１
2014177812.tif 000002
【特許請求の範囲】
【請求項１】
上端に開口を有する直方体形状の脱着式コンテナの長辺側に対応して配置され、上記コンテナの上端開口周縁に位置する矩形状の第１足場板を有する直方体形状に枠組みされた第１足場台と、
上記コンテナの短辺側に対応して配置され、上記コンテナの上端開口周縁に位置する矩形状の第２足場板を有する直方体形状に枠組みされた第２足場台とを備え、
上記第１足場台上端のコンテナ側の辺を除く３辺には、第１安全柵が固定され、
上記第２足場台の反第１足場台側には、上記第２足場板に乗り降りするための階段が設けられ、
上記第２足場台上端のコンテナ側及び反コンテナ側の辺には、第２安全柵が取り付け・取り外し可能に設けられ、
上記第１足場台のコンテナ長手方向一端側又は他端側と、上記第２足場台の反階段側とは、上記第１足場板と上記第２足場板とを連続させる連結手段により連結されることを特徴とする脱着式コンテナ用足場台。
【請求項２】
請求項１に記載の脱着式コンテナ用足場台において、
上記階段の両サイドには、手すりが取り付け・取り外し可能に設けられていることを特徴とする脱着式コンテナ用足場台。
【請求項３】
請求項１又は２に記載の脱着式コンテナ用足場台において、   
上記第１及び第２足場台のコンテナ側上端には、緩衝部材が設けられていることを特徴とする脱着式コンテナ用足場台。
【請求項４】
請求項１から３のいずれか１つに記載の脱着式コンテナ用足場台において、
上記第２足場台の下端には、上記第１足場台のコンテナ長手方向一端側又は他端側に上記第２足場台を移動させる複数のキャスターが設けられていることを特徴とする脱着式コンテナ用足場台。
【発明の詳細な説明】
【技術分野】
【０００１】
本発明は、トラックに搭載されて搬送される脱着式コンテナに工場等で排出される廃棄物を作業者が投入する際に使用する足場台に関する。
【背景技術】
【０００２】
工場等で排出される多量の一般廃棄物や産業廃棄物は、トラックから降ろされた脱着式コンテナに作業者によって投入された後、廃棄物処理場までトラックで運搬されて処理されるのが一般的である。
【０００３】
ところで、上記廃棄物を効率良く廃棄物処理場まで運搬するために、コンテナの内部は廃棄物で偏りなく満たされることが求められる。
【０００４】
しかし、上記脱着式コンテナは、大型で、且つ、上方に開口する直方体形状をなしているので、作業者はコンテナの内部を外側方から見ることができない。したがって、作業者は、梯子や脚立等を足場としてコンテナの内部を上端開口から覗きこんで廃棄物をコンテナの内部に投入する必要があり、足場の安定が悪く、安全に作業するのが困難であった。
【０００５】
これを回避するために、例えば、特許文献１に開示されている足場台を利用して廃棄物をコンテナに投入する作業を行うことが考えられる。この足場台は、トラックの荷役作業に用いられるものであり、矩形状の足場板を有する水平方向に延びる足場台本体と、該足場台本体の長手方向両端に設けられ、上記足場台に乗り降りするための一対の階段とを備え、上記足場台本体上端の両長辺の一方又は他方には、矩形枠状の手すりが取り付け・取り外し可能に設けられている。
【先行技術文献】
【特許文献】
【０００６】
【特許文献１】特開２０１０−１９６３１４号公報（段落００２２，００２３欄、図１〜図３）
【発明の概要】
【発明が解決しようとする課題】
【０００７】
しかし、特許文献１の足場台は、足場台本体が水平方向に真っ直ぐに延びる直線状をなしており、もし仮に廃棄物をコンテナに投入する作業にこの足場台を使用する場合、一般にコンテナは大型であるので、コンテナにおける４つの側面のうちの１つの側面に対応して配置しても、コンテナ内部の足場台反対側に足場台上の作業者が廃棄物を投入するのは困難である。
【０００８】
これに対応するために、足場台をＬ字状に形成してコンテナの長辺及び短辺に連続して沿わせることが考えられるが、一般に脱着式コンテナを搭載したトラックは、大型で小回りが利きにくく、コンテナを搬入・搬出するのに足場台が邪魔になってしまう。
【０００９】
本発明は、斯かる点に鑑みてなされたものであり、その目的とするところは、コンテナの内部に偏りなく廃棄物を投入する作業を安全にでき、しかも、作業場に対してコンテナを搬入・搬出するのに邪魔にならない脱着式コンテナ用足場台を提供することにある。
【課題を解決するための手段】
【００１０】
上記の目的を達成するために、本発明は、足場台を第１足場台と第２足場台とで構成し、当該第１足場台と第２足場台とを連結手段で連結するようにしたことを特徴とする。
【００１１】
すなわち、第１の発明では、上端に開口を有する直方体形状の脱着式コンテナの長辺側に対応して配置され、上記コンテナの上端開口周縁に位置する矩形状の第１足場板を有する直方体形状に枠組みされた第１足場台と、上記コンテナの短辺側に対応して配置され、上記コンテナの上端開口周縁に位置する矩形状の第２足場板を有する直方体形状に枠組みされた第２足場台とを備え、上記第１足場台上端のコンテナ側の辺を除く３辺には、第１安全柵が固定され、上記第２足場台の反第１足場台側には、上記第２足場板に乗り降りするための階段が設けられ、上記第２足場台上端のコンテナ側及び反コンテナ側の辺には、第２安全柵が取り付け・取り外し可能に設けられ、上記第１足場台のコンテナ長手方向一端側又は他端側と、上記第２足場台の反階段側とは、上記第１足場板と上記第２足場板とを連続させる連結手段により連結されることを特徴とする。
【００１２】
第２の発明では、第１の発明において、上記階段の両サイドには、手すりが取り付け・取り外し可能に設けられていることを特徴とする。
【００１３】
第３の発明では、第１又は第２の発明において、上記第１及び第２足場台のコンテナ側上端には、緩衝部材が設けられていることを特徴とする。
【００１４】
第４の発明では、第１から第３のいずれか１つの発明において、上記第２足場台の下端には、上記第１足場台のコンテナ長手方向一端側又は他端側に上記第２足場台を移動させる複数のキャスターが設けられていることを特徴とする。
【発明の効果】
【００１５】
第１の発明では、足場台上において作業者がコンテナの上端開口における長辺側及び短辺側に対応する位置に移動できるので、作業者は、コンテナの内部に廃棄物を投入する際に、廃棄物を投入する場所にまで近づくことができ、コンテナの内部に偏りなく廃棄物を投入することができる。また、第１足場台に対する第２足場台の連結位置を変更できるので、コンテナの内部に廃棄物を投入する作業場に対してコンテナを搬入・搬出するのに足場台が邪魔にならない。さらに、第１足場台及び第２足場台には、第１及び第２安全柵がそれぞれ取り付けられ、しかも、第１足場台に対する第２足場台の連結位置を変更しても、それに応じて第２安全柵の位置を変更できるので、作業者は、第１及び第２足場板上での作業を安全に行うことができる。
【００１６】
第２の発明では、作業者が階段で第２足場板とフロアとの間を行き来する際、手すりを持つことで階段の上り下りを安定させることができる。また、作業者の階段からの転落を防止することができる。
【００１７】
第３の発明では、コンテナの内部に廃棄物を投入する作業場にコンテナを搬入する際に、コンテナが第２足場台に近づき過ぎても緩衝部材に接触するので、コンテナの表面に第２足場台に接触したことにより傷がついてしまうということはない。
【００１８】
第４の発明では、第２足場台が複数のキャスターによって移動するので、第１足場台に対する第２足場台の連結位置を簡単に変更できる。
【図面の簡単な説明】
【００１９】
【図１】本発明の実施形態１に係る脱着式コンテナ用足場台の斜視図であり、第１足場台の長手方向一端側に第２足場台を連結した状態を示す。
【図２】本発明の実施形態１に係る脱着式コンテナ用足場台の斜視図であり、第１足場台の長手方向他端側に第２足場台を連結した状態を示す。
【図３】図１のＡ−Ａ線における断面図である。
【図４】図２のＢ−Ｂ線における断面図である。
【図５】本発明の実施形態２の図２相当図である。
【発明を実施するための形態】
【００２０】
以下、本発明の実施形態を図面に基づいて詳細に説明する。尚、以下の好ましい実施形態の説明は、本質的に例示に過ぎない。
《発明の実施形態１》
図１及び図２は、本発明の実施形態１に係る脱着式コンテナ用足場台１を示す。該足場台１は、工場等で排出される多量の廃棄物を上端が開口する略直方体形状の脱着式コンテナ１０に投入する際に使用するものであり、該コンテナ１０は、図示しないトラックに搭載されて目的地まで搬送され、目的地で降ろされる。
【００２１】
上記脱着式コンテナ用足場台１は、鋼材からなる第１足場台２及び第２足場台３で構成されている。
【００２２】
上記第１足場台２は、上記コンテナ１０の長手方向に延びる長方形枠状の第１上部フレーム２１、該第１上部フレーム２１に対向する長方形枠状の第１底部フレーム２２、及び上記第１上部フレーム２１の四隅と上記第１底部フレーム２２の四隅とをそれぞれ上下に連結する断面Ｌ字状の４つの第１連結フレーム２３で直方体形状に枠組みされ、上記コンテナ１０の長辺側に対応して配置されている。
【００２３】
上記第１底部フレーム２２の四隅には、上記第１足場台２を支持する支持フレーム２４が下方に突設され、上記コンテナ１０側に位置する２つの第１連結フレーム２３には、上記第１足場台２の長手方向と交差する方向に貫通する第１貫通孔２３ａが上下に離間して一対形成されている。
【００２４】
上記第１上部フレーム２１の上部開口は、矩形状の第１足場板４で覆われ、該第１足場板４は、上記コンテナ１０の上端開口周縁に位置している。
【００２５】
そして、上記第１足場台２上端のコンテナ１０側の辺を除く３辺には、第１安全柵２５が上下に延びる姿勢で固定されている。
【００２６】
上記第２足場台３は、上記コンテナ１０の長手方向と交差する方向に延びる長方形枠状の第２上部フレーム３１、該第２上部フレーム３１に対向する長方形枠状の第２底部フレーム３２、及び上記第２上部フレーム３１の四隅と上記第２底部フレーム３２の四隅とをそれぞれ上下に連結する断面Ｌ字状の４つの第２連結フレーム３３で直方体形状に枠組みされ、上記コンテナ１０の短辺側に対応して配置されている。
【００２７】
上記第２上部フレーム３１の上部開口は、矩形状の第２足場板５で覆われ、該第２足場板５は、上記コンテナ１０の上端開口周縁に位置している。
【００２８】
上記第２足場台３の長手方向一端（反第１足場台２側）には、上記コンテナ１０の長辺側から上記第２足場板５に乗り降りするための階段６が設けられ、該階段６には、手すり７が設けられている。
【００２９】
該手すり７は、上下に延びる３つの脚フレーム７ａと、上記階段６の傾斜方向に延び、上記各脚フレーム７ａの上端を繋ぐ把持フレーム７ｂとを備えている。
【００３０】
上記階段６は、水平方向に離間した一対の側板６１（階段６のサイド部分）を備え、該両側板６１は、フロアから第２足場板５まで傾斜して延びている。
【００３１】
上記両側板６１間には、当該側板６１の傾斜方向に等間隔に踏板６２が４つ設けられ、該各踏板６２は、上記両側板６１を連結している。
【００３２】
上記各側板６１には、上下に延びる手すり用筒部材６ａが上記側板６１の傾斜方向に等間隔に３つ取り付けられている。
【００３３】
上記各手すり用筒部材６ａは、上記各脚フレーム７ａに対応していて、当該各脚フレーム７ａが上記各手すり用筒部材６ａに上方から嵌合することにより、上記手すり７を上記階段６の両サイドに取り付け・取り外し可能となっている。
【００３４】
上記第２足場台３の下端には、４つのキャスター８が転動可能に取り付けられ、該各キャスター８により、上記第２足場台３が上記第１足場台２の長手方向一端側又は他端側に移動可能となっている。
【００３５】
上記第２足場台３には、側面視で矩形枠状の第２安全柵９が設けられ、該第２安全柵９下端の隅には、それぞれ脚部９ａが突設されている。
【００３６】
上記第２足場台３上端の各長辺（コンテナ１０側及び反コンテナ１０側の辺）には、上下に延びる一対の足場台用筒部材３ａが上記第２足場台３の長手方向に離間して設けられている。
【００３７】
上記各足場台用筒部材３ａは、上記各脚部９ａに対応していて、当該脚部９ａが上記各足場台用筒部材３ａに上方から嵌合することにより、上記第２安全柵９を上記第２足場台３上端の各長辺に取り付け・取り外し可能となっている。
【００３８】
上記第２足場台３の長手方向他端側（反階段６側）に位置する２つの第２連結フレーム３３には、上記第２足場台３の長手方向に貫通する第２貫通孔３３ａが上下に離間して一対形成されている。
【００３９】
該第２貫通孔３３ａが形成された一方の第２連結フレーム３３の各第２貫通孔３３ａは、上記第１足場台２の長手方向一端側に位置する第１連結フレーム２３に形成された各第１貫通孔２３ａにそれぞれ対応していて、図１及び図３に示すように、上記第１足場台２の長手方向一端側に上記第２足場台３を移動させ、且つ、上記各第１貫通孔２３ａに上記各第２貫通孔３３ａを合わせてボルト１３を挿通し、該ボルト１３をナット１４に螺合することにより上記第１足場台２の長手方向一端側と上記第２足場台３の反階段６側とが連結されて上記第１足場板４と第２足場板５とを連続させるようになっている。
【００４０】
また、上記第２貫通孔３３ａが形成された他方の第２連結フレーム３３の各第２貫通孔３３ａは、上記第１足場台２の長手方向他端側に位置する第１連結フレーム２３に形成された各第１貫通孔２３ａにそれぞれ対応していて、図２及び図４に示すように、上記第１足場台２の長手方向他端側に上記第２足場台３を移動させ、且つ、上記各第１貫通孔２３ａに上記各第２貫通孔３３ａを合わせてボルト１３を挿通し、該ボルト１３をナット１４に螺合することにより上記第１足場台２の長手方向他端側と上記第２足場台３の反階段６側とが連結されて上記第１足場板４と第２足場板５とを連続させるようになっている。
【００４１】
つまり、上記ボルト１３及び上記ナット１４により本発明の連結手段としての連結具１１が構成されている。
【００４２】
次に、上記脱着式コンテナ用足場台１の使用時について説明する。
【００４３】
図１に示すように、上記コンテナ１０を紙面左側から作業場に搬入する場合、上記コンテナ１０の搬入に上記第２足場台３が邪魔にならないように、上記第２足場台３を移動させて上記ボルト１３及びナット１４により上記第１足場台２の長手方向一端側に上記第２足場台３の反階段６側を連結して上記第１足場板４と上記第２足場板５とを連続させる。
【００４４】
そして、作業者は、上記第２安全柵９を上記第２足場台３上端における一方の長辺に取り付けるとともに、上記手すり７を上記階段６における一方の側板６１に取り付けた後、第１足場板４及び第２足場板５上で廃棄物を上記コンテナ１０に投入する作業を行う。
【００４５】
一方、図２に示すように、上記コンテナ１０を紙面右側から作業場に搬入する場合、上記コンテナ１０の搬入に上記第２足場台３が邪魔にならないように、上記第２足場台３を移動させて上記ボルト１３及びナット１４により上記第１足場台２の長手方向他端側に上記第２足場台３の反階段６側を連結して上記第１足場板４と上記第２足場板５とを連続させる。
【００４６】
そして、作業者は、上記第２安全柵９を上記第２足場台３上端における他方の長辺に取り付けるとともに、上記手すり７を上記階段６における他方の側板６１に取り付けた後、第１足場板４及び第２足場板５上で廃棄物を上記コンテナ１０に投入する作業を行う。
【００４７】
以上より、本発明の実施形態１によると、脱着式コンテナ用足場台１上において作業者がコンテナ１０の上端開口における長辺側及び短辺側に対応する位置に移動できるので、作業者は、コンテナ１０の内部に廃棄物を投入する際に、廃棄物を投入する場所にまで近づくことができ、コンテナ１０の内部に偏りなく廃棄物を投入することができる。
【００４８】
また、第１足場台２に対する第２足場台３の連結位置を変更できるので、コンテナ１０の内部に廃棄物を投入する作業場に対してコンテナ１０を搬入・搬出するのに足場台１が邪魔にならない。
【００４９】
さらに、第１足場台２及び第２足場台３には、第１及び第２安全柵２５，９がそれぞれ取り付けられ、しかも、第１足場台２に対する第２足場台３の連結位置を変更しても、それに応じて第２安全柵９の位置を変更できるので、作業者は、第１及び第２足場板４，５上での作業を安全に行うことができる。
【００５０】
それに加えて、作業者が階段６で第２足場板５とフロアとの間を行き来する際、手すり７を持つことで階段の上り下りを安定させることができる。また、作業者の階段６からの転落を防止することができる。
【００５１】
そして、第２足場台３が複数のキャスター８によって移動するので、第１足場台２に対する第２足場台３の連結位置を簡単に変更できる。
《発明の実施形態２》
図５は、本発明の実施形態２に係る足場台１を示す。この実施形態２では、第２足場台３の一部構造が実施形態１と異なるだけでその他は実施形態１と同じであるため、以下、実施形態１と異なる部分のみを説明する。
【００５２】
実施形態２の第１足場台２上端のコンテナ１０側には、上記第１足場台２上端の長辺に沿って延びる帯状の第１緩衝部材１２ａが第１足場台２の長手方向にスライド可能に設けられている（図５の矢印Ｘ方向）。
【００５３】
該第１緩衝部材１２ａは、上記第１足場台２の長手方向一端側に上記第２足場台３の反階段６側を連結する時には、上記第１足場台２の長手方向他端側にスライドさせ、上記第１足場台２の長手方向他端側に上記第２足場台３の反階段６側を連結する時には、上記第１足場台２の長手方向一端側にスライドさせて使用するようになっている。
【００５４】
実施形態２の第２足場台３上端の各長辺には、当該第２足場台３上端の長辺と上記各足場台用筒部材３ａとを連続して覆う帯状のゴム製第２緩衝部材１２ｂが設けられている。
【００５５】
したがって、本発明の実施形態２によると、コンテナ１０の内部に廃棄物を投入する作業場にコンテナ１０を搬入する際に、コンテナ１０が足場台１に近づき過ぎても第１及び第２緩衝部材１２ａ，１２ｂに接触するので、コンテナ１０の表面に足場台１に接触したことにより傷がついてしまうということはない。
【００５６】
また、第２緩衝部材１２ｂは第２安全柵９を取り付けるための足場台用筒部材３ａを覆っているので、コンテナ１０が各足場台用筒部材３ａに接触して当該各足場台用筒部材３ａを変形させてしまい、第２安全柵９の取り付け・取り外しができなくなるといったことを防ぐことができる。
【００５７】
さらに、上記第１及び第２緩衝部材１２ａ、１２ｂにより、足場台１とコンテナ１０との間の隙間を狭くできるので、廃棄物をコンテナ１０に投入する際に、足場台１とコンテナ１０との間の隙間に廃棄物が落ちてしまうといったことを防ぐことができる。
【００５８】
尚、本発明の実施形態１，２では、第２安全柵９に脚部９ａが２つ形成されているが、これに限らず、複数形成されていればよい。
【００５９】
また、本発明の実施形態１，２では、第１足場台２及び第２足場台３の各フレーム間に斜め材を設けていないが、斜め材を設けてもよい。
【００６０】
また、本発明の実施形態１，２では、第１足場台２と第２足場台３とを連結具１１で連結しているが、これに限らず、例えば、Ｃ字状クランプで連結してもよい。
【００６１】
また、本発明の実施形態２では、第１及び第２緩衝部材１２ａ，１２ｂをゴム材で形成しているが、これに限らず、樹脂材で形成してもよいし、発泡材で形成してもよい。
【００６２】
また、本発明の実施形態１，２では、第２足場台３の下端に４つのキャスター８が設けられているが、第２足場台３の下端にキャスター８を設けることは必須ではなく、第２足場台３をフォークリフト等で移動させてもよい。
【産業上の利用可能性】
【００６３】
本発明は、トラックに搭載されて搬送される脱着式コンテナに工場等で排出される廃棄物を作業者が投入する際に使用する足場台に適している。
【符号の説明】
【００６４】
１        脱着式コンテナ用足場台
２        第１足場台
３        第２足場台
４        第１足場板
５        第２足場板
６        階段
８        キャスター
９        第２安全柵
１０        脱着式コンテナ
１１        連結具（連結手段）
１２        緩衝部材
２５        第１安全柵  
【図１】
2014177812.tif 000003
【図２】
2014177812.tif 000004
【図３】
2014177812.tif 000005
【図４】
2014177812.tif 000006
【図５】
2014177812.tif 000007